(57)【要約】 【課題】重複領域と、該重複領域に隣接する画像と、の間の色ムラを抑制を抑制する。【解決手段】画像処理装置は、色変換処理を含む生成処理を実行して複数個の部分印刷データを生成し、該部分印刷データを用いて、Ｎ回目の部分印刷と（Ｎ＋１）回目の部分印刷とを印刷実行部に実行させる。Ｎ回目の部分印刷で印刷される領域は、Ｎ回目と（Ｎ＋１）回目の部分印刷の両方でドットが形成される重複領域と、重複領域よりも副走査方向の下流側の第１の非重複領域と、上流側の第２の非重複領域と、を含む。色変換処理は、第１の非重複領域に対応するデータに対して第１のプロファイルを参照して実行される第１の変換処理と、第２の非重複領域に対応するデータに対して第２のプロファイルを参照して実行される第２の変換処理と、重複領域に対応するデータに対して実行される、第１および第２の変換処理とは異なる第３の変換処理と、を含む。【選択図】  図５
2020082424.tif 000002
【特許請求の範囲】
【請求項１】
第１種のインクを吐出する第１種のノズルと、前記第１種のノズルとは主走査方向の位置が異なり、第２種のインクを吐出する第２種のノズルと、を有する印刷ヘッドと、印刷媒体に対して前記主走査方向に沿って前記印刷ヘッドを移動させる主走査を実行する主走査部と、前記印刷ヘッドに対して前記主走査方向と交差する副走査方向に前記印刷媒体を移動させる副走査を実行する副走査部と、を備える印刷実行部であって、前記主走査を行いつつ前記印刷ヘッドによって前記印刷媒体にドットを形成する部分印刷と、前記副走査と、を複数回実行することで印刷を行う、前記印刷実行部のための画像処理装置であって、
第１種の色値と、前記第１種のインクと前記第２種のインクを含む複数種のインクに対応する成分値を含む第２種の色値と、の対応関係を規定する複数個のプロファイルを格納する格納部であって、前記複数個のプロファイルは、前記主走査方向に沿う第１の印刷方向に対応する第１のプロファイルと、前記第１の印刷方向とは逆の第２の印刷方向に対応する第２のプロファイルと、を含む、前記格納部と、
複数個の画素に対応する複数個の前記第１種の色値を含む対象画像データを取得する画像取得部と、
前記対象画像データを用いて、前記第１の印刷方向で行われるＮ回目（Ｎは１以上の整数）の前記部分印刷のための第Ｎの部分印刷データと、前記第２の印刷方向で行われる（Ｎ＋１）回目の前記部分印刷のための第（Ｎ＋１）の部分印刷データと、を含む複数個の部分印刷データを生成する生成処理を実行する印刷データ生成部であって、前記生成処理は、前記対象画像データに含まれる前記複数個の第１種の色値のそれぞれを前記第２種の色値に変換する色変換処理を含む、前記印刷データ生成部と、
前記複数個の部分印刷データを用いて、前記Ｎ回目の部分印刷と前記（Ｎ＋１）回目の部分印刷とを含む複数回の前記部分印刷を前記印刷実行部に実行させることによって、前記対象画像データに基づく印刷画像を前記印刷実行部に印刷させる印刷制御部と、
を備え、
前記Ｎ回目の部分印刷で印刷される領域は、前記Ｎ回目の部分印刷と前記（Ｎ＋１）回目の部分印刷との両方でドットが形成される第１の重複領域と、前記第１の重複領域よりも前記副走査方向の下流側の第１の非重複領域であって前記Ｎ回目の部分印刷にてドットが形成され前記（Ｎ＋１）回目の部分印刷にてドットが形成されない前記第１の非重複領域と、を含み、
前記（Ｎ＋１）回目の部分印刷で印刷される領域は、前記第１の重複領域と、前記第１の重複領域よりも前記副走査方向の上流側の第２の非重複領域であって前記Ｎ回目の部分印刷にてドットが形成されず前記（Ｎ＋１）回目の部分印刷にてドットが形成される前記第２の非重複領域と、を含み、
前記色変換処理は、
前記対象画像データのうち、前記第１の非重複領域に対応するデータに対して実行される第１の変換処理であって、前記第１のプロファイルを参照して実行される前記第１の変換処理と、
前記対象画像データのうち、前記第２の非重複領域に対応するデータに対して実行される第２の変換処理であって、前記第２のプロファイルを参照して実行される前記第２の変換処理と、
前記対象画像データのうち、前記第１の重複領域に対応するデータに対して実行される第３の変換処理であって、前記第１の変換処理および前記第２の変換処理とは異なる前記第３の変換処理と、
を含む、画像処理装置。
【請求項２】
請求項１に記載の画像処理装置であって、
前記第３の変換処理は、
前記第１の重複領域のうち、前記副走査方向の上流端を含む上流部分に対応するデータに対して実行される上流変換処理であって、前記第２のプロファイルを参照して実行される前記上流変換処理と、
前記第１の重複領域のうち、前記副走査方向の下流端を含む下流部分に対応するデータに対して実行される下流変換処理であって、前記第１のプロファイルを参照して実行される前記下流変換処理と、
を含む、画像処理装置。
【請求項３】
請求項２に記載の画像処理装置であって、
前記第３の変換処理は、前記第１の重複領域のうち、前記上流部分と前記下流部分との間に位置する中央部分に対応するデータに対して実行される中央変換処理であって、前記上流変換処理と前記下流変換処理とは異なる前記中央変換処理を含む、画像処理装置。
【請求項４】
請求項１〜３のいずれかに記載の画像処理装置であって、
前記格納部は、さらに、前記第１のプロファイルと前記第２のプロファイルとは異なる第３のプロファイルを格納し、
前記第３の変換処理の少なくとも一部は、前記第３のプロファイルを参照して実行される、画像処理装置。
【請求項５】
請求項４に記載の画像処理装置であって、
前記格納部は、さらに、前記第１のプロファイル、前記第２のプロファイル、および、前記第３のプロファイルとは異なる第４のプロファイルを格納し、
前記印刷データ生成部は、前記第１の印刷方向で行われる（Ｎ＋２）回目の前記部分印刷のための第（Ｎ＋２）の部分印刷データをさらに含む前記複数個の部分印刷データを生成し、
前記印刷制御部は、前記（Ｎ＋２）回目の部分印刷をさらに含む複数回の前記部分印刷を前記印刷実行部に実行させることによって、前記印刷画像を前記印刷実行部に印刷させ、
前記（Ｎ＋２）回目の部分印刷で印刷される領域は、前記（Ｎ＋１）回目の部分印刷と前記（Ｎ＋２）回目の部分印刷との両方でドットが形成される第２の重複領域と、前記第２の重複領域よりも前記副走査方向の上流側の第３の非重複領域であって前記（Ｎ＋２）回目の部分印刷にてドットが形成され前記（Ｎ＋１）回目の部分印刷にてドットが形成されない前記第３の非重複領域と、を含み、
前記色変換処理において、前記対象画像データのうち、前記第３の非重複領域に対応するデータに対しては、前記第１の変換処理が実行され、
前記色変換処理は、さらに、前記対象画像データのうち、前記第２の重複領域の少なくとも一部に対応するデータに対して実行される第４の変換処理であって、前記第４のプロファイルを参照して実行される前記第４の変換処理を含む、画像処理装置。
【請求項６】
請求項１〜３のいずれかに記載の画像処理装置であって、
前記第１の重複領域内の複数個の画素は、前記Ｎ回目の部分印刷と、前記（Ｎ＋１）回目の部分印刷と、のいずれかに割り当てられ、
前記Ｎ回目の部分印刷に割り当てられた画素に対応するドットは、前記Ｎ回目の部分印刷にて形成され、前記（Ｎ＋１）回目の部分印刷に割り当てられた画素に対応するドットは、前記（Ｎ＋１）回目の部分印刷にて形成され、
前記第１の重複領域のうちの少なくとも一部の領域に対する前記第３の変換処理は、前記第１種の色値を合成色値に変換する合成変換処理を含み、
前記合成色値は、前記Ｎ回目の部分印刷に割り当てられる画素と前記（Ｎ＋１）回目の部分印刷に割り当てられる画素との比率に応じて、前記第１のプロファイルを参照して特定される前記第２種の色値と前記第２のプロファイルを参照して特定される前記第２種の色値とを合成して得られる前記第２種の色値である、画像処理装置。
【請求項７】
請求項５に記載の画像処理装置であって、
前記第１の重複領域は、前記副走査方向の位置が互いに異なる複数本のラスタラインであって、前記主走査方向に沿って並ぶ複数個の画素をそれぞれ含む、前記複数本のラスタラインを含み、
前記複数本のラスタラインにおいて、前記Ｎ回目の部分印刷に割り当てられる画素の割合は、前記副走査方向の位置が前記副走査方向の下流端に近づくに連れて高くなり、前記（Ｎ＋１）回目の部分印刷に割り当てられる画素の割合は、前記副走査方向の位置が前記副走査方向の上流端に近づくに連れて高くなり、
前記合成変換処理は、前記第１種の色値を、前記副走査方向の位置に応じて異なる前記比率に応じた前記合成色値に変換する処理である、画像処理装置。
【請求項８】
請求項１に記載の画像処理装置であって、
前記印刷データ生成部は、前記第１の印刷方向で行われるＭ回目（Ｍは、Ｎとは異なる１以上の整数）の前記部分印刷のための第Ｍの部分印刷データと、前記第２の印刷方向で行われる（Ｍ＋１）回目の前記部分印刷のための第（Ｍ＋１）の部分印刷データと、をさらに含む前記複数個の部分印刷データを生成し、
前記印刷制御部は、前記Ｍ回目の部分印刷と前記（Ｍ＋１）回目の部分印刷とをさらに含む複数回の前記部分印刷を前記印刷実行部に実行させることによって、前記印刷画像を前記印刷実行部に印刷させ、
前記Ｍ回目の部分印刷で印刷される領域は、前記Ｍ回目の部分印刷と前記（Ｍ＋１）回目の部分印刷との両方でドットが形成され前記第１の重複領域よりも前記副走査方向の長さが長い第３の重複領域と、前記第３の重複領域よりも前記副走査方向の下流側の第４の非重複領域であって前記Ｍ回目の部分印刷にてドットが形成され前記（Ｍ＋１）回目の部分印刷にてドットが形成されない前記第４の非重複領域と、を含み、
前記（Ｍ＋１）回目の部分印刷で印刷される領域は、前記第３の重複領域と、前記第３の重複領域よりも前記副走査方向の上流側の第５の非重複領域であって前記Ｍ回目の部分印刷にてドットが形成されず前記（Ｍ＋１）回目の部分印刷にてドットが形成される前記第５の非重複領域と、を含み、
前記色変換処理において、前記対象画像データのうち、前記第４の非重複領域に対応するデータに対しては、前記第１の変換処理が実行され、前記第５の非重複領域に対応するデータに対しては、前記第２の変換処理が実行され、
前記色変換処理は、さらに、前記対象画像データのうち、前記第３の重複領域に対応するデータに対して実行される第５の変換処理であって、前記第１の変換処理、前記第２の変換処理、および、前記第３の変換処理とは異なる前記第５の変換処理を含む、画像処理装置。
【請求項９】
請求項８に記載の画像処理装置であって、
前記格納部は、さらに、前記第１のプロファイルと前記第２のプロファイルとは異なる第３のプロファイルを格納し、
前記第３の変換処理は、
前記第１の重複領域のうち、前記副走査方向の上流端を含む上流部分に対応するデータに対して実行される上流変換処理であって、前記第２のプロファイルを参照して実行される前記上流変換処理と、
前記第１の重複領域のうち、前記副走査方向の下流端を含む下流部分に対応するデータに対して実行される下流変換処理であって、前記第１のプロファイルを参照して実行される前記下流変換処理と、
を含み、
前記第５の変換処理は、前記第３のプロファイルを参照して実行される、画像処理装置。
【請求項１０】
請求項８に記載の画像処理装置であって、
前記第１の重複領域は、前記副走査方向の位置が互いに異なるＫ本（Ｋは、１以上の整数）のラスタラインであって、前記主走査方向に沿って並ぶ複数個の画素をそれぞれ含む、前記Ｋ本のラスタラインを含み、
前記第３の重複領域は、前記副走査方向の位置が互いに異なるＬ本（Ｌは、Ｋより大きな整数）のラスタラインであって、前記主走査方向に沿って並ぶ複数個の画素をそれぞれ含む、前記Ｌ本のラスタラインを含み、
前記Ｋ本のラスタラインにおいて、前記Ｎ回目の部分印刷に割り当てられる画素の割合は、前記副走査方向の位置が前記副走査方向の下流端に近づくに連れて高くなり、前記（Ｎ＋１）回目の部分印刷に割り当てられる画素の割合は、前記副走査方向の位置が前記副走査方向の上流端に近づくに連れて高くなり、
前記Ｌ本のラスタラインにおいて、前記Ｍ回目の部分印刷に割り当てられる画素の割合は、前記副走査方向の位置が前記副走査方向の下流端に近づくに連れて高くなり、前記（Ｍ＋１）回目の部分印刷に割り当てられる画素の割合は、前記副走査方向の位置が前記副走査方向の上流端に近づくに連れて高くなり、
前記第３の変換処理は、前記Ｋ本のラスタラインのそれぞれについて前記第１種の色値を第１の合成色値に変換する第１の合成変換処理であり、
前記第５の変換処理は、前記Ｌ本のラスタラインのそれぞれについて前記第１種の色値を第２の合成色値に変換する第２の合成変換処理であり、
前記第１の合成色値は、前記Ｎ回目の部分印刷に割り当てられる画素と前記（Ｎ＋１）回目の部分印刷に割り当てられる画素との比率である第１の比率であって前記副走査方向の位置に応じて異なる前記第１の比率に応じて、前記第１のプロファイルを参照して特定される前記第２種の色値と前記第２のプロファイルを参照して特定される前記第２種の色値とを合成して得られる前記第２種の色値であり、
前記第２の合成色値は、前記Ｍ回目の部分印刷に割り当てられる画素と前記（Ｍ＋１）回目の部分印刷に割り当てられる画素との比率である第２の比率であって前記副走査方向の位置に応じて異なる前記第２の比率に応じて、前記第１のプロファイルを参照して特定される前記第２種の色値と前記第２のプロファイルを参照して特定される前記第２種の色値とを合成して得られる前記第２種の色値である、画像処理装置。
【請求項１１】
請求項２、３、９のいずれかに記載の画像処理装置であって、
前記下流部分は、各ラスタラインにおいて、前記Ｎ回目の部分印刷に割り当てられる画素の割合が第１の閾値以上である部分であり、
前記上流部分は、各ラスタラインにおいて、前記（Ｎ＋１）回目の部分印刷に割り当てられる画素の割合が第２の閾値以上である部分である、画像処理装置。
【請求項１２】
第１種のインクを吐出する第１種のノズルと、前記第１種のノズルとは主走査方向の位置が異なり、第２種のインクを吐出する第２種のノズルと、を有する印刷ヘッドと、印刷媒体に対して前記主走査方向に沿って前記印刷ヘッドを移動させる主走査を実行する主走査部と、前記印刷ヘッドに対して前記主走査方向と交差する副走査方向に前記印刷媒体を移動させる副走査を実行する副走査部と、を備える印刷実行部であって、前記主走査を行いつつ前記印刷ヘッドによって前記印刷媒体にドットを形成する部分印刷と、前記副走査と、を複数回実行することで印刷を行う、前記印刷実行部のためのコンピュータプログラムであって、
複数個の画素に対応する複数個の第１種の色値を含む対象画像データを取得する画像取得機能と、
前記対象画像データを用いて、前記主走査方向に沿う第１の印刷方向で行われるＮ回目（Ｎは１以上の整数）の前記部分印刷のための第Ｎの部分印刷データと、前記第１の印刷方向とは逆の第２の印刷方向で行われる（Ｎ＋１）回目の前記部分印刷のための第（Ｎ＋１）の部分印刷データと、を含む複数個の部分印刷データを生成する生成処理を実行する印刷データ生成機能であって、前記生成処理は、前記対象画像データに含まれる複数個の前記第１種の色値のそれぞれを第２種の色値に変換する色変換処理を含み、前記第２種の色値は、前記第１種のインクと前記第２種のインクを含む複数種のインクに対応する成分値を含む色値である、前記印刷データ生成機能と、
前記複数個の部分印刷データを用いて、前記Ｎ回目の部分印刷と前記（Ｎ＋１）回目の部分印刷とを含む複数回の前記部分印刷を前記印刷実行部に実行させることによって、前記対象画像データに基づく印刷画像を前記印刷実行部に印刷させる印刷制御機能と、
をコンピュータに実現させ、
前記Ｎ回目の部分印刷で印刷される領域は、前記Ｎ回目の部分印刷と前記（Ｎ＋１）回目の部分印刷との両方でドットが形成される第１の重複領域と、前記第１の重複領域よりも前記副走査方向の下流側の第１の非重複領域であって前記Ｎ回目の部分印刷にてドットが形成され前記（Ｎ＋１）回目の部分印刷にてドットが形成されない前記第１の非重複領域と、を含み、
前記（Ｎ＋１）回目の部分印刷で印刷される領域は、前記第１の重複領域と、前記第１の重複領域よりも前記副走査方向の上流側の第２の非重複領域であって前記Ｎ回目の部分印刷にてドットが形成されず前記（Ｎ＋１）回目の部分印刷にてドットが形成される前記第２の非重複領域と、を含み、
前記色変換処理は、
前記対象画像データのうち、前記第１の非重複領域に対応するデータに対して実行される第１の変換処理であって、前記第１種の色値と前記第２種の色値との対応関係を規定するプロファイルあり、前記第１の印刷方向に対応する第１のプロファイルを参照して実行される前記第１の変換処理と、
前記対象画像データのうち、前記第２の非重複領域に対応するデータに対して実行される第２の変換処理であって、前記対応関係を規定するプロファイルであり、前記第２の印刷方向に対応する第２のプロファイルを参照して実行される前記第２の変換処理と、
前記対象画像データのうち、前記第１の重複領域に対応するデータに対して実行される第３の変換処理であって、前記第１の変換処理および前記第２の変換処理とは異なる前記第３の変換処理と、
を含む、コンピュータプログラム。
【発明の詳細な説明】
【技術分野】
【０００１】
本明細書は、主走査を行いつつドットを形成する部分印刷と副走査とを複数回実行することで印刷を行う印刷実行部のための画像処理に関する。
【背景技術】
【０００２】
主走査の往路で行われる往路印刷と、主走査の復路で行われる復路印刷と、を組み合わせた双方向印刷を行う印刷システムが知られている。例えば、特許文献１には、往路印刷で印刷される領域の端部と、次の復路印刷で印刷される領域の端部と、を重複させて印刷を行う技術が開示されている。特許文献２には、双方向印刷において、色ムラが発生しやすい場合に、往路印刷で使用する印刷データを作成する際には、第１の変換テーブルを使用し、復路印刷で使用する印刷データを作成する際には、第２の変換テーブルを使用する技術が開示されている。これらの技術によって双方向印刷によって印刷される画像の画質の向上が図られている。
【先行技術文献】
【特許文献】
【０００３】
【特許文献１】特開２０１１−８４００５号公報
【特許文献２】特開２００５−３４２９６２号公報
【発明の概要】
【発明が解決しようとする課題】
【０００４】
しかしながら、上記技術では、往路印刷と復路印刷とで重複して印刷される重複領域の印刷データについて十分に工夫されているとは言えなかった。このために、双方向印刷で印刷される画像において、重複領域と、該重複領域に隣接する画像と、の間の色ムラが目立つ可能性があった。
【０００５】
本明細書は、双方向印刷で印刷される画像において、重複領域と、該重複領域に隣接する画像と、の間の色ムラを抑制できる技術を開示する。
【課題を解決するための手段】
【０００６】
本明細書に開示された技術は、以下の適用例として実現することが可能である。
【０００７】
［適用例１］第１種のインクを吐出する第１種のノズルと、前記第１種のノズルとは主走査方向の位置が異なり、第２種のインクを吐出する第２種のノズルと、を有する印刷ヘッドと、印刷媒体に対して前記主走査方向に沿って前記印刷ヘッドを移動させる主走査を実行する主走査部と、前記印刷ヘッドに対して前記主走査方向と交差する副走査方向に前記印刷媒体を移動させる副走査を実行する副走査部と、を備える印刷実行部であって、前記主走査を行いつつ前記印刷ヘッドによって前記印刷媒体にドットを形成する部分印刷と、前記副走査と、を複数回実行することで印刷を行う、前記印刷実行部のための画像処理装置であって、第１種の色値と、前記第１種のインクと前記第２種のインクを含む複数種のインクに対応する成分値を含む第２種の色値と、の対応関係を規定する複数個のプロファイルを格納する格納部であって、前記複数個のプロファイルは、前記主走査方向に沿う第１の印刷方向に対応する第１のプロファイルと、前記第１の印刷方向とは逆の第２の印刷方向に対応する第２のプロファイルと、を含む、前記格納部と、複数個の画素に対応する複数個の前記第１種の色値を含む対象画像データを取得する画像取得部と、前記対象画像データを用いて、前記第１の印刷方向で行われるＮ回目（Ｎは１以上の整数）の前記部分印刷のための第Ｎの部分印刷データと、前記第２の印刷方向で行われる（Ｎ＋１）回目の前記部分印刷のための第（Ｎ＋１）の部分印刷データと、を含む複数個の部分印刷データを生成する生成処理を実行する印刷データ生成部であって、前記生成処理は、前記対象画像データに含まれる前記複数個の第１種の色値のそれぞれを前記第２種の色値に変換する色変換処理を含む、前記印刷データ生成部と、前記複数個の部分印刷データを用いて、前記Ｎ回目の部分印刷と前記（Ｎ＋１）回目の部分印刷とを含む複数回の前記部分印刷を前記印刷実行部に実行させることによって、前記対象画像データに基づく印刷画像を前記印刷実行部に印刷させる印刷制御部と、を備え、前記Ｎ回目の部分印刷で印刷される領域は、前記Ｎ回目の部分印刷と前記（Ｎ＋１）回目の部分印刷との両方でドットが形成される第１の重複領域と、前記第１の重複領域よりも前記副走査方向の下流側の第１の非重複領域であって前記Ｎ回目の部分印刷にてドットが形成され前記（Ｎ＋１）回目の部分印刷にてドットが形成されない前記第１の非重複領域と、を含み、前記（Ｎ＋１）回目の部分印刷で印刷される領域は、前記第１の重複領域と、前記第１の重複領域よりも前記副走査方向の上流側の第２の非重複領域であって前記Ｎ回目の部分印刷にてドットが形成されず前記（Ｎ＋１）回目の部分印刷にてドットが形成される前記第２の非重複領域と、を含み、前記色変換処理は、前記対象画像データのうち、前記第１の非重複領域に対応するデータに対して実行される第１の変換処理であって、前記第１のプロファイルを参照して実行される前記第１の変換処理と、前記対象画像データのうち、前記第２の非重複領域に対応するデータに対して実行される第２の変換処理であって、前記第２のプロファイルを参照して実行される前記第２の変換処理と、前記対象画像データのうち、前記第１の重複領域に対応するデータに対して実行される第３の変換処理であって、前記第１の変換処理および前記第２の変換処理とは異なる前記第３の変換処理と、を含む、画像処理装置。
【０００８】
上記構成によれば、第１の印刷方向で行われるＮ回目の部分印刷と、第２の印刷方向で行われる（Ｎ＋１）回目の部分印刷と、を含む印刷（いわゆる双方向印刷）において、印刷データ生成部によって実行される色変換処理は、第１の重複領域に対応するデータに対して実行される第３の変換処理であって、第１の変換処理および第２の変換処理とは異なる第３の変換処理を含む。この結果、第１の重複領域内の画像が、適切な色で印刷され得るので、第１の重複領域内の画像と、該第１の重複領域に隣接する画像と、の間の色ムラを抑制し得る。
【０００９】
なお、本明細書に開示された技術は、種々の形態で実現可能であり、例えば、印刷装置、印刷実行部の制御方法、印刷方法、これらの装置および方法の機能を実現するためのコンピュータプログラム、そのコンピュータプログラムを記録した記録媒体、等の形態で実現することができる。
【図面の簡単な説明】
【００１０】
【図１】実施例の印刷システム１０００の構成を示すブロック図である。
【図２】印刷機構１００の概略構成を示す図である。
【図３】画像処理のフローチャートである。
【図４】用紙Ｍに印刷画像ＰＩが印刷される場合の説明図である。
【図５】第１実施例の色変換処理のフローチャートである。
【図６】パスデータ出力処理のフローチャートである。
【図７】分配パターンデータＰＤとヘッド位置Ｐ３〜Ｐ５での部分印刷の記録率とを示す図である。
【図８】第２実施例の色変換処理のフローチャートである。
【図９】第２実施例の色変換処理の説明図である。
【図１０】第３実施例の色変換処理のフローチャートである。
【図１１】第４実施例の色変換処理のフローチャートである。
【図１２】第５実施例の色変換処理のフローチャートである。
【図１３】第５実施例の色変換処理の説明図である。
【発明を実施するための形態】
【００１１】
Ａ．第１実施例：
Ａ−１：  印刷システム１０００の構成
次に、実施の形態を実施例に基づき説明する。図１は、実施例の印刷システム１０００の構成を示すブロック図である。
【００１２】
印刷システム１０００は、プリンタ２００と、本実施例の画像処理装置としての端末装置３００と、を含んでいる。プリンタ２００と、端末装置３００と、は、有線または無線のネットワークＮＷを介して、通信可能に接続されている。
【００１３】
端末装置３００は、プリンタ２００のユーザが使用する計算機であり、例えば、パーソナルコンピュータやスマートフォンである。端末装置３００は、端末装置３００のコントローラとしてのＣＰＵ３１０と、ハードディスクドライブなどの不揮発性記憶装置３２０と、ＲＡＭなどの揮発性記憶装置３３０と、マウスやキーボードなどの操作部３６０と、液晶ディスプレイなどの表示部３７０と、通信部３８０と、を備えている。通信部３８０は、ネットワークＮＷに接続するための有線または無線のインタフェースを含む。
【００１４】
揮発性記憶装置３３０は、ＣＰＵ３１０のためのバッファ領域３３１を提供する。不揮発性記憶装置３２０には、コンピュータプログラムＰＧ１と複数個のプロファイルＦＰ、ＲＰ、ＯＰ１、ＯＰ２とが格納されている。コンピュータプログラムＰＧ１と複数個のプロファイルＦＰ、ＲＰ、ＯＰ１、ＯＰ２とは、例えば、サーバからダウンロードされる形態、あるいは、ＤＶＤ−ＲＯＭなどに格納される形態で、プリンタ２００の製造者によって提供される。ＣＰＵ３１０は、コンピュータプログラムＰＧ１を実行することによって、プリンタ２００を制御するプリンタドライバとして機能する。プリンタドライバとしてのＣＰＵ３１０は、例えば、後述する画像処理を実行して、プリンタ２００に画像を印刷させる。
【００１５】
複数個のプロファイルＦＰ、ＲＰ、ＯＰ１、ＯＰ２は、それぞれ、ＲＧＢ表色系の色値（ＲＧＢ値）と、ＣＭＹＫ表色系の色値（ＣＭＹＫ値）と、の対応関係を規定するプロファイルである。複数個のプロファイルＦＰ、ＲＰ、ＯＰ１、ＯＰ２は、後述する画像処理において、ＲＧＢ値をＣＭＹＫ値に変換する色変換処理のために用いられる。ＲＧＢ値は、赤（Ｒ）、緑（Ｇ）、青（Ｂ）の３個の成分値を含む色値である。ＣＭＹＫ値は、印刷に用いられる複数種のインクに対応する複数個の成分値、本実施例では、シアン（Ｃ）、マゼンタ（Ｍ）、イエロ（Ｙ）、黒（Ｋ）の成分値を含む色値である。ＲＧＢ値およびＣＭＹＫ値は、例えば、２５６階調の値である。複数個のプロファイルＦＰ、ＲＰ、ＯＰ１、ＯＰ２は、例えば、ルックアップテーブルである。複数個のプロファイルＦＰ、ＲＰ、ＯＰ１、ＯＰ２については後述する。
【００１６】
プリンタ２００は、例えば、印刷機構１００と、プリンタ２００のコントローラとしてのＣＰＵ２１０と、ハードディスクドライブなどの不揮発性記憶装置２２０と、ＲＡＭなどの揮発性記憶装置２３０と、ユーザによる操作を取得するためのボタンやタッチパネルなどの操作部２６０と、液晶ディスプレイなどの表示部２７０と、通信部２８０と、を備えている。通信部２８０は、ネットワークＮＷに接続するための有線または無線のインタフェースを含む。プリンタ２００は、通信部２８０を介して、外部装置、例えば、端末装置３００と通信可能に接続される。
【００１７】
揮発性記憶装置２３０は、ＣＰＵ２１０が処理を行う際に生成される種々の中間データを一時的に格納するバッファ領域２３１を提供する。不揮発性記憶装置２２０には、コンピュータプログラムＰＧ２が格納されている。コンピュータプログラムＰＧ２は、本実施例では、プリンタ２００を制御するための制御プログラムであり、プリンタ２００の出荷時に不揮発性記憶装置２２０に格納されて提供され得る。これに代えて、コンピュータプログラムＰＧ２は、サーバからダウンロードされる形態で提供されても良く、ＤＶＤ−ＲＯＭなどに格納される形態で提供されてもよい。ＣＰＵ２１０は、コンピュータプログラムＰＧ２を実行することにより、例えば、後述する画像処理によって端末装置３００から送信される印刷データや方向情報（後述）に従って印刷機構１００を制御して印刷媒体（例えば、用紙）上に画像を印刷する。
【００１８】
印刷機構１００は、Ｃ、Ｍ、Ｙ、Ｋの各インク（液滴）を吐出して印刷を行う。印刷機構１００は、印刷ヘッド１１０とヘッド駆動部１２０と主走査部１３０と搬送部１４０とを備えている。
【００１９】
図２は、印刷機構１００の概略構成を示す図である。図２（Ａ）に示すように、主走査部１３０は、印刷ヘッド１１０を搭載するキャリッジ１３３と、キャリッジ１３３を主走査方向（図２のＸ軸方向）に沿って往復動可能に保持する摺動軸１３４と、を備えている。主走査部１３０は、図示しない主走査モータの動力を用いて、キャリッジ１３３を摺動軸１３４に沿って往復動させる。これによって、用紙Ｍに対して主走査方向に沿って印刷ヘッド１１０を往復動させる主走査が実現される。
【００２０】
搬送部１４０は、用紙Ｍを保持しつつ、主走査方向と交差する搬送方向ＡＲ（図２の＋Ｙ方向）に用紙Ｍを搬送する。図２に示すように、用紙台１４５と、上流ローラ対１４２と、下流ローラ対１４１と、を備えている。以下では、搬送方向ＡＲの上流側（−Ｙ側）を、単に、上流側とも呼び、搬送方向ＡＲの下流側（＋Ｙ側）を単に下流側とも呼ぶ。
【００２１】
上流ローラ対１４２は、印刷ヘッド１１０よりも上流側（−Ｙ側）で用紙Ｍを保持し、下流ローラ対１４１は、印刷ヘッド１１０よりも下流側（＋Ｙ側）で用紙Ｍを保持する。用紙台１４５は、上流ローラ対１４２と、下流ローラ対１４１と、の間の位置であって、かつ、印刷ヘッド１１０のノズル形成面１１１と対向する位置に配置されている。図示しない搬送モータによって下流ローラ対１４１と上流ローラ対１４２とが駆動されることによって、用紙Ｍが搬送される。
【００２２】
ヘッド駆動部１２０（図１）は、主走査部１３０が印刷ヘッド１１０の主走査を行っている最中に、印刷ヘッド１１０に駆動信号を供給して、印刷ヘッド１１０を駆動する。印刷ヘッド１１０は、駆動信号に従って、搬送部１４０によって搬送される用紙上にインクを吐出してドットを形成する。
【００２３】
図２（Ｂ）は、−Ｚ側（図２における下側）から見た印刷ヘッド１１０の構成が図示されている。図２（Ｂ）に示すように、印刷ヘッド１１０のノズル形成面１１１には、複数のノズルからなる複数のノズル列、すなわち、上述したＣ、Ｍ、Ｙ、Ｋの各インクを吐出するノズル列ＮＣ、ＮＭ、ＮＹ、ＮＫが形成されている。各ノズル列は、複数個のノズルＮＺを含んでいる。複数個のノズルＮＺは、搬送方向ＡＲ（＋Ｙ方向）の位置が互いに異なり、搬送方向ＡＲに沿って所定のノズル間隔ＮＴで並ぶ。ノズル間隔ＮＴは、複数のノズルＮＺの中で搬送方向ＡＲに隣り合う２個のノズルＮＺ間の搬送方向ＡＲの長さである。これらのノズル列を構成するノズルのうち、最も上流側（−Ｙ側）に位置するノズルＮＺを、最上流ノズルＮＺｕとも呼ぶ。また、これらのノズルのうち、最も下流側（＋Ｙ側）に位置するノズルＮＺを、最下流ノズルＮＺｄと呼ぶ。最上流ノズルＮＺｕから最下流ノズルＮＺｄまでの搬送方向ＡＲの長さに、さらに、ノズル間隔ＮＴを加えた長さを、ノズル長Ｄとも呼ぶ。
【００２４】
ノズル列ＮＣ、ＮＭ、ＮＹ、ＮＫの主走査方向の位置は、互いに異なり、副走査方向の位置は、互いに重複している。例えば、図２（Ｂ）の例では、Ｙインクを吐出するノズル列ＮＹの＋Ｘ方向に、ノズル列ＮＭが配置されている。
【００２５】
Ａ−２．  画像処理
端末装置３００のＣＰＵ３１０（図１）は、ユーザからの印刷指示に基づいて、画像処理を実行する。印刷指示には、印刷すべき画像を示す画像データの指定が含まれる。図３は、画像処理のフローチャートである。Ｓ１０では、ＣＰＵ３１０は、印刷指示によって指定される画像データを揮発性記憶装置３３０から取得する。取得される画像データは、例えば、ＪＰＥＧ圧縮された画像データや、ページ記述言語で記述された画像データなどの各種のフォーマットを有する画像データである。
【００２６】
Ｓ２０では、ＣＰＵ３１０は、取得された画像データに対して、ラスタライズ処理を実行して、ＲＧＢ値で画素ごとの色を表すＲＧＢ画像データを生成する。これによって、本実施例の対象画像データとしてのＲＧＢ画像データが取得される。ＲＧＢ値は、例えば、赤（Ｒ）と緑（Ｇ）と青（Ｂ）との３個の成分値を含む色値である。
【００２７】
Ｓ３０では、ＣＰＵ３１０は、ＲＧＢ画像データに対して、色変換処理を実行して、ＣＭＹＫ値で画素ごとの色を表すＣＭＹＫ画像データを生成する。色変換処理の詳細については、後述する。
【００２８】
Ｓ４０では、ＣＰＵ３１０は、ＣＭＹＫ画像データに対して、ハーフトーン処理を実行して、ＣＭＹＫのそれぞれの色成分について、ドット形成状態を画素ごとに表すドットデータを生成する。ドットデータの各画素の値は、例えば、「ドット無し」と「ドット有り」の２階調、あるいは、「ドット無し」「小」「中」「大」の４階調のドットの形成状態を示す。ハーフトーン処理は、ディザ法や誤差拡散法などの公知の手法を用いて実行される。ドットデータは、印刷媒体上に形成すべきドットで構成された印刷画像ＰＩ（後述）を示す画像データである。
【００２９】
Ｓ５０では、ＣＰＵ３１０は、ドットデータを用いてパスデータ出力処理を実行する。具体的には、ＣＰＵ３１０は、ドットデータのうち、後述する１回の部分印刷ＳＰ分のデータ（パスデータ）を生成し、該パスデータに各種の制御データを付加して、印刷機構１００に出力する。制御データには、部分印刷ＳＰ後に実行すべきシートの搬送Ｔの搬送量を指定するデータが含まれる。パスデータ出力処理の詳細については後述する。
【００３０】
これによって、ＣＰＵ３１０は、印刷機構１００に印刷画像ＰＩを印刷させることができる。具体的には、ＣＰＵ３１０は、ヘッド駆動部１２０と、主走査部１３０と、搬送部１４０と、を制御して、部分印刷ＳＰとシート搬送Ｔとを、交互に繰り返し複数回に亘って実行させることによって印刷を行う。１回の部分印刷ＳＰでは、用紙Ｍを用紙台１４５上に停止した状態で、１回の主走査を行いつつ、印刷ヘッド１１０のノズルＮＺから用紙Ｍ上にインクを吐出することによって、印刷すべき画像の一部分が用紙Ｍに印刷される。１回のシート搬送Ｔは、所定の搬送量だけ用紙Ｍを搬送方向ＡＲに移動させる搬送である。本実施例では、ＣＰＵ３１０は、ｍ回（ｍは、３以上の整数）の部分印刷ＳＰｍを印刷機構１００に実行させる。
【００３１】
図４は、用紙Ｍｎに印刷画像ＰＩが印刷される場合の説明図である。図４の例では、印刷画像ＰＩは、５回の部分印刷ＳＰで印刷される（ｍ＝５）。さらに、図４には、ヘッド位置Ｐ、すなわち、用紙Ｍに対する印刷ヘッド１１０の搬送方向の相対的な位置が、部分印刷ＳＰごと（すなわち、主走査ごと）に図示されている。複数回の部分印刷ＳＰに対して、実行順に、パス番号ｋ（ｋは、１以上ｍ以下の整数）を付し、ｋ回目の部分印刷ＳＰを、部分印刷ＳＰｋとも呼ぶ。そして、部分印刷ＳＰｋを行う際のヘッド位置Ｐを、ヘッド位置Ｐｋと呼ぶ。そして、ｋ回目の部分印刷ＳＰｋと、（ｋ＋１）回目の部分印刷ＳＰ（ｋ＋１）と、の間に行われるシート搬送Ｔを、ｋ回目のシート搬送Ｔｋとも呼ぶ。図４には、１〜５回目の部分印刷ＳＰ１〜ＳＰ５に対応するヘッド位置Ｐ１〜Ｐ５と、シート搬送Ｔ１〜Ｔ４と、が図示されている。
【００３２】
なお、図４において、用紙Ｍ上に形成される印刷画像ＰＩは、複数個の非重複領域（１パス領域とも呼ぶ）ＮＡ１〜ＮＡ５（図４のハッチングされていない領域）と、複数個の重複領域（２パス領域とも呼ぶ）ＳＡ１〜ＳＡ４（図４のハッチングされた領域）と、を含む。
【００３３】
１パス領域ＮＡ１〜ＮＡ５は、それぞれ、１回の部分印刷のみで画像が形成可能な領域である。具体的には、１パス領域ＮＡｋには、ｋ回目の部分印刷ＳＰｋ、すなわち、ヘッド位置Ｐｋで行われる部分印刷ＳＰｋのみで画像が形成可能である。
【００３４】
２パス領域ＳＡ１、ＳＡ２は、２回の部分印刷で画像が形成可能な領域である。具体的には、２パス領域ＳＡｋには、ｋ回目の部分印刷ＳＰｋと（ｋ＋１）回目の部分印刷ＳＰ（ｋ＋１）とで画像が形成可能である。すなわち、２パス領域ＳＡｋには、ヘッド位置Ｐｋで行われる部分印刷ＳＰｋと、ヘッド位置Ｐ（ｋ＋１）で行われる部分印刷ＳＰ（ｋ＋１）と、でドットが形成可能である。２パス領域ＳＡｋは、１パス領域ＮＡｋと１パス領域ＮＡ（ｋ＋１）との間に位置する。
【００３５】
なお、図４に示すように、１回目の部分印刷ＳＰ１で印刷可能な部分領域ＲＡ１は、１パス領域ＮＡ１と、１パス領域ＮＡ１の上流側の２パス領域ＳＡ１と、を含む。２回目から４回目の部分印刷ＳＰ２〜ＳＰ４で印刷可能な部分領域ＲＡ２〜ＲＡ４は、それぞれ、１パス領域ＮＡｋと、１パス領域ＮＡｋの上流側の２パス領域ＳＡｋと、１パス領域ＮＡｋの下流側の２パス領域ＳＡ（ｋ−１）と、を含む（ｋは、２〜４のいずれか）。最後の部分印刷ＳＰ５で印刷可能な部分領域ＲＡ５は、１パス領域ＮＡ５と、１パス領域ＮＡ５の下流側の２パス領域ＳＡ４と、を含む。
【００３６】
２パス領域ＳＡｋを設ける理由を説明する。仮に、２パス領域ＳＡｋを設けずに、１パス領域に印刷される画像（１パス部分画像とも呼ぶ）だけで印刷画像が構成されているとする。この場合には、用紙Ｍの搬送量のばらつき等に起因して、互いに搬送方向ＡＲに隣り合う２個の１パス部分画像の境界に、白スジや黒スジが現れるいわゆるバンディングと呼ばれる不具合が発生し得る。バンディングは、印刷画像ＰＩの画質を低下させる。２個の１パス領域ＮＡｋの間に２パス領域ＳＡｋ領域を設けて、該領域内に画像（２パス部分画像とも呼ぶ）を印刷することで、上述したバンディングと呼ばれる不具合を抑制できる。２パス部分画像では、１個のラスタライン上のドットが２回の部分印刷にて形成されるので、１個のラスタライン上の全ドットが、他のラスタライン上の全ドットに対して、同じようにずれることを抑制できるためである。
【００３７】
ここで、用紙Ｍに画像が印刷されると用紙Ｍがインクを吸収した影響等によって用紙Ｍが変形しやすくなる。そして、最後の部分印刷ＳＰ５は、用紙Ｍが上流ローラ対１４２で保持されず、下流ローラ対１４１だけで保持された状態実行される。このために、部分印刷ＳＰ５は、用紙Ｍが変形した状態で行われやすいので、ドットの着弾位置がばらつきやすい。このために、部分印刷ＳＰ５と直前の部分印刷ＳＰ４とで印刷される２パス領域ＳＡ４の搬送方向ＡＲの長さＨｂは、他の２パス領域ＳＡ１〜ＳＡ３の搬送方向ＡＲの長さＨａよりも長くされている。これによって、ドットの着弾位置がばらつきに起因して２パス領域ＳＡ５に発生し得る色ムラを低減できる。また、２パス領域ＳＡｋの搬送方向ＡＲの長さを過度に長くすると印刷速度が低下するので、印刷速度の低下を低減すべく、２パス領域ＳＡ１〜ＳＡ３の搬送方向ＡＲの長さＨａは、長さＨｂよりも短くされている。
【００３８】
部分印刷ＳＰの印刷方向は、主走査方向に沿う２つの方向、すなわち、往路方向と復路方向とのいずれかである。すなわち、部分印刷ＳＰは、往路方向（図４の＋Ｘ方向）の主走査を行いつつドットを形成する往路印刷と、復路方向（図４の−Ｘ方向）の主走査を行いつつドットを形成する復路印刷と、のいずれかである。図４にて部分領域内には、＋Ｘ方向または−Ｘ方向の実線の矢印が付されている。＋Ｘ方向の実線の矢印が付された部分領域（例えば、図４の部分領域ＲＡ１、ＲＡ３、ＲＡ５）は、往路印刷によって画像が印刷される往路部分領域である。−Ｘ方向の実線の矢印が付された部分領域（例えば、図４のＲＡ２、ＲＡ４）は、復路印刷によって印刷される復路部分領域である。
【００３９】
図４に示すように、本実施例の印刷は、往路印刷と復路印刷とが交互に実行される双方向印刷である。双方向印刷は、例えば、往路印刷のみが繰り返し実行される片方向印刷よりも印刷時間を短縮できる。片方向印刷では、往路印刷の後、再度、往路印刷を行うために、部分印刷を行うことなく、印刷ヘッド１１０を復路方向に移動させる必要があるが、双方向印刷では、その必要がないためである。
【００４０】
Ａ−３．色変換処理
先ず、色変換処理で用いられる複数個のプロファイルＦＰ、ＲＰ、ＯＰ１、ＯＰ２（図１）について説明する。図２（Ｂ）に示すように、印刷ヘッド１１０に示すように、ＣＭＹＫのノズル列ＮＣ、ＮＭ、ＮＹ、ＮＫは、主走査方向の位置が互いに異なっている。このために、用紙Ｍ上の同じ位置にＣＭＹＫの各ドットを形成する場合に、往路印刷と復路印刷との間で、ドットの形成順序が異なる。例えば、図２（Ｂ）の例では、往路印刷では、Ｋ、Ｃ、Ｍ、Ｙの順番でドットが形成され、復路印刷では、逆に、Ｙ、Ｍ、Ｃ、Ｋの順番でドットが形成される。この結果、複数色のドットが重なり合う領域では、往路印刷で印刷される部分画像と復路印刷で印刷される画像との間でドットが重なる順序が異なる。このために、往路印刷で印刷される部分画像と復路印刷で印刷される画像との間では、互いに同じドットデータを用いて印刷したとしても、印刷される色味が互いに異なる場合がある。このような往路印刷で印刷される部分画像と復路印刷で印刷される画像との間で印刷される色の相違（往復間色差とも呼ぶ）が生じる。図４の往路印刷で印刷される１パス領域ＮＡ１、ＮＡ３、ＮＡ５に印刷される画像と、復路印刷で印刷される１パス領域ＮＡ２、ＮＡ４に印刷される画像と、の間では、往復間色差が生じる。
【００４１】
また、２パス領域ＳＡ１〜ＳＡ４に印刷される画像は、２回の部分印刷ＳＰで印刷される。このために、２パス領域ＳＡ１〜ＳＡ４に印刷される画像では、１回の部分印刷ＳＰで印刷される１パス領域ＮＡ１〜ＮＡ５に印刷される画像とはドットが重なる順序が異なる。このために、２パス領域ＳＡ１〜ＳＡ４に印刷される画像と１パス領域ＮＡ１〜ＮＡ５に印刷される画像との間では、色の相違が生じ得る。
【００４２】
さらには、２パス領域ＳＡ１、ＳＡ３では、往路印刷の後に復路印刷が行われるので、Ｋ、Ｃ、Ｍ、Ｙ、Ｙ、Ｍ、Ｃ、Ｋの順番でドットが形成される。これに対して２パス領域ＳＡ２、ＳＡ４では、復路印刷の後に往路印刷が行われるので、Ｙ、Ｍ、Ｃ、Ｋ、Ｋ、Ｃ、Ｍ、Ｙの順番でドットが形成される。このために、２パス領域ＳＡ１、ＳＡ３に印刷される画像と２パス領域ＳＡ２、ＳＡ４に印刷される画像とはドットが重なる順序が異なる。このために、２パス領域ＳＡ１、ＳＡ３に印刷される画像と２パス領域ＳＡ２、ＳＡ４に印刷される画像との間では、色の相違が生じ得る。
【００４３】
本実施例では、このような色の相違を低減するために複数個のプロファイルＦＰ、ＲＰ、ＯＰ１、ＯＰ２が用いられる。往路用プロファイルＦＰは、往路方向で印刷される１パス領域ＮＡ１、ＮＡ３分の印刷データを生成する際に用いられる。復路用プロファイルＲＰは、復路方向で印刷される１パス領域ＮＡ２、ＮＡ４分の印刷データを生成する際に用いられる。第１の重複領域用（２パス領域用）プロファイルＯＰ１は、往路方向で一部が印刷された後に復路方向で残りの一部が印刷される２パス領域ＳＡ１、ＳＡ３分の印刷データを生成する際に用いられる。第２の重複領域用プロファイルＯＰ２は、復路方向で一部が印刷された後に往路方向で残りの一部が印刷される２パス領域ＳＡ２、ＳＡ４分の印刷データを生成する際に用いられる。
【００４４】
これらのプロファイルＦＰ、ＲＰ、ＯＰ１、ＯＰ２は、上述した色の相違を小さくするように、互いに色合わせが行われている。具体的には、これらのプロファイルＦＰ、ＲＰ、ＯＰ１、ＯＰ２は、特定のＲＧＢ値を、これらのプロファイルを用いてそれぞれ変換して得られるＣＭＹＫ値に基づいて、対応する印刷方法でそれぞれ印刷される色が、互いに近い色になるように調整されている。これらの調整は、実際に印刷された画像における色の相違を目視や測色によって評価することによって行われている。
【００４５】
次にこれらのプロファイルＦＰ、ＲＰ、ＯＰ１、ＯＰ２を用いて行われる図３のＳ３０の色変換処理について説明する。図５は、第１実施例の色変換処理のフローチャートである。
【００４６】
Ｓ１００では、ＣＰＵ３１０は、注目ラスタラインを選択する。色変換処理の対象となるＲＧＢ画像データによって示されるＲＧＢ画像ＲＩは、図４の印刷画像ＰＩと対応している。このために、図４は、ＲＧＢ画像ＲＩを示す図とも言うことができる。ＲＧＢ画像ＲＩは、図４のＸ方向（印刷時の主走査方向に対応する方向）に延び、Ｙ方向の位置が互いい異なる複数本のラスタラインＲＬ（例えば、図４のＲＬ１）を含んでいる。各ラスタラインＲＬは、図４のＸ方向に延びるラインであり、複数個の画素によって構成される。ＣＰＵ３１０は、例えば、複数本のラスタラインＲＬの中から１本の注目ラスタラインを、印刷時の搬送方向ＡＲの下流側に対応する側（図４の＋Ｙ側）から順次に選択する。例えば、最初の注目ラスタラインは、図４のラスタラインＲＬ１である。
【００４７】
Ｓ１０５では、ＣＰＵ３１０は、注目ラスタラインは、２パス領域内であるか否かを判断する。ＲＧＢ画像ＲＩは、印刷画像ＰＩと対応しているから、ＲＧＢ画像ＲＩ上にも、印刷画像ＰＩと同様に、図４に示すような１パス領域ＮＡ１〜ＮＡ５および２パス領域ＳＡ１〜ＳＡ４を定義できる。
【００４８】
注目ラスタラインが２パス領域内に位置する場合には（Ｓ１０５：ＹＥＳ）、Ｓ１１０にて、ＣＰＵ３１０は、注目ラスタラインが位置する２パス領域（注目２パス領域とも呼ぶ）は、往路方向で印刷された後に復路方向で印刷されるか、復路方向で印刷された後に往路方向で印刷されるかを判断する。例えば、注目ラスタラインが図４の２パス領域ＳＡ１、ＳＡ３内に位置する場合には、注目２パス領域は往路方向で印刷された後に復路方向で印刷されると判断される。注目ラスタラインが図４の２パス領域ＳＡ２、ＳＡ４内に位置する場合には、注目２パス領域は復路方向で印刷された後に往路方向で印刷されると判断される。
【００４９】
注目２パス領域が往路方向で印刷された後に復路方向で印刷される場合には（Ｓ１１０：ＹＥＳ）、Ｓ１１５にて、ＣＰＵ３１０は、第１の重複領域用プロファイルＯＰ１を参照して、注目ラスタラインに対応するデータを色変換する。これによって、注目ラスタラインに含まれる複数個の画素のＲＧＢ値は、それぞれ、ＣＭＹＫ値に変換される。
【００５０】
注目２パス領域が復路方向で印刷された後に往路方向で印刷される場合には（Ｓ１１０：ＮＯ）、Ｓ１２０にて、ＣＰＵ３１０は、第２の重複領域用プロファイルＯＰ２を参照して、注目ラスタラインに対応するデータを色変換する。
【００５１】
注目ラスタラインが２パス領域内に位置しない場合には（Ｓ１０５：ＮＯ）、すなわち、注目ラスタラインが１パス領域内に位置する場合には、Ｓ１７０にて、ＣＰＵ３１０は、注目ラスタラインが位置する１パス領域（注目１パス領域とも呼ぶ）は、往路方向で印刷されるか、復路方向で印刷されるかを判断する。例えば、注目１パス領域が図４の１パス領域ＮＡ１、ＮＡ３内に位置する場合には、注目１パス領域は往路方向で印刷されると判断される。注目ラスタラインが図４の１パス領域ＮＡ２、ＮＡ４である場合には、注目１パス領域は復路方向で印刷されると判断される。
【００５２】
注目１パス領域が往路方向で印刷される場合には（Ｓ１７０：ＹＥＳ）、Ｓ１７５にて、ＣＰＵ３１０は、往路用プロファイルＦＰを参照して、注目ラスタラインに対応するデータを色変換する。
【００５３】
注目１パス領域が復路方向で印刷される場合には（Ｓ１７０：ＮＯ）、Ｓ１８０にて、ＣＰＵ３１０は、復路用プロファイルＲＰを参照して、注目ラスタラインに対応するデータを色変換する。
【００５４】
Ｓ１９０では、ＣＰＵ３１０は、ＲＧＢ画像ＲＩに含まれる全てのラスタラインＲＬを処理したか否かを判断する。全てのラスタラインＲＬが処理された場合には（Ｓ１９０：ＹＥＳ）、ＣＰＵ３１０は、色変換処理を終了する。未処理のラスタラインＲＬがある場合には（Ｓ１９０：ＮＯ）、ＣＰＵ３１０は、Ｓ１００に戻る。
【００５５】
Ａ−４．パスデータ出力処理
次に、図３のＳ５０のパスデータ出力処理について説明する。図６は、パスデータ出力処理のフローチャートである。Ｓ４０のハーフトーン処理にて生成されるドットデータによって示される印刷画像ＰＩ（図４）は、ＲＧＢ画像ＲＩと同様に、複数本のラスタラインＲＬを含んでいる。
【００５６】
Ｓ２００では、ＣＰＵ３１０は、複数本のラスタラインＲＬから、１本の注目ラスタラインを選択する。注目ラスタラインは、上述した色変換処理と同様に、印刷時の搬送方向ＡＲの下流側に対応する側（図４の＋Ｙ側）から順次に選択される。ここで、注目ラスタラインを印刷する部分印刷ＳＰを注目部分印刷とも呼ぶ。ただし、注目ラスタラインが２回の部分印刷ＳＰで印刷される場合、すなわち、注目ラスタラインが、２パス領域内に位置する場合には、２回の部分印刷のうち、先に行われる部分印刷を注目部分印刷とする。例えば、図４のラスタラインＲＬ１、ＲＬ２が、注目ラスタラインである場合には、注目部分印刷は、ヘッド位置Ｐ１（図４）で行われる部分印刷ＳＰ１である。
【００５７】
Ｓ２１０では、ＣＰＵ３１０は、注目ラスタラインが、２パス領域内に位置するか否かを判断する。
【００５８】
注目ラスタラインが２パス領域内に位置する場合には（Ｓ２１０：ＹＥＳ）、Ｓ２１５にて、ＣＰＵ３１０は、注目ラスタラインに対応する分配パターンデータＰＤを取得する。図７は、分配パターンデータＰＤと、ヘッド位置Ｐ３〜Ｐ５での部分印刷の記録率と、を示す図である。図７（Ａ）に示すように、分配パターンデータＰＤは、注目ラスタラインの各画素に対応する値を有する二値データである。分配パターンデータＰＤの値「０」は、その画素に対応するドットが、注目部分印刷にて形成されるべきであることを示している。分配パターンデータＰＤの値「１」は、その画素に対応するドットが、注目部分印刷の次の部分印刷にて形成されるべきであることを示している。
【００５９】
ここで、図７（Ｂ）の記録率Ｒ３、Ｒ４、Ｒ５は、それぞれ、ヘッド位置Ｐ３、Ｐ４、Ｐ５での部分印刷ＳＰ３、ＳＰ４、ＳＰ５における記録率である。図７（Ｂ）では、搬送方向ＡＲの位置に対する各記録率Ｒ３、Ｒ４、Ｒ５が示されている。１パス部分画像ＮＡ３（図４）に対応する搬送方向ＡＲの範囲では、記録率Ｒ３は、１００％である。同様に、１パス部分画像ＮＡ４、ＮＡ５（図４）に対応する搬送方向ＡＲの範囲では、記録率Ｒ４、Ｒ５は、１００％である。
【００６０】
２パス部分画像ＳＡ３（図４）に対応する搬送方向ＡＲの範囲では、記録率Ｒ３は、搬送方向ＡＲの上流側（図７（Ｂ）の下側）に向かうに連れて、直線的に減少する。２パス部分画像ＳＡ３（図４）に対応する搬送方向ＡＲの範囲では、記録率Ｒ４は、搬送方向ＡＲの下流側（図７（Ｂ）の上側）に向かうに連れて、直線的に減少する。２パス部分画像ＳＡ３（図４）に対応する搬送方向ＡＲの範囲では、記録率Ｒ３と記録率Ｒ４との和は、１００％である。２パス部分画像ＳＡ４（図４）に対応する搬送方向ＡＲの範囲における記録率Ｒ４、Ｒ５についても同様である。
【００６１】
なお、図７（Ｂ）では、ヘッド位置Ｐ３〜Ｐ５での部分印刷についてのみ記録率を示したが、他のヘッド位置Ｐ１、Ｐ２においても、同様の記録率となっている。これによって、１パス部分画像ＮＡ１〜ＮＡ５、２パス部分画像ＳＡ１〜ＳＡ４のそれぞれにて、１００％の記録率で印刷が可能である。
【００６２】
分配パターンデータＰＤは、２パス部分画像が印刷される重複領域における搬送方向ＡＲの位置に応じて、上述した記録率が実現されるように、生成される。
【００６３】
Ｓ２２０では、ＣＰＵ３１０は、分配パターンデータＰＤに従って、ドットデータのうち、注目ラスタラインに対応するデータ（注目ラスタデータとも呼ぶ）を、出力バッファと、一次保存バッファとに分配して格納する。すなわち、注目ラスタデータのうち、注目部分印刷にて形成すべきドットを示すデータは、出力バッファに格納され、注目部分印刷の次の部分印刷にて形成すべきドットを示すデータは、一次保存バッファに格納される。
【００６４】
注目ラスタラインが重複領域内に位置しない場合には（Ｓ２１０：ＮＯ）、注目ラスタラインに含まれる複数個の画素に対応するドットは、全て注目部分印刷にて形成されるべきである。したがって、この場合には、Ｓ２２５にて、ＣＰＵ３１０は、ドットデータのうち、注目ラスタデータを、出力バッファに格納する。
【００６５】
Ｓ２３０では、ＣＰＵ３１０は、注目部分印刷分のラスタラインが、注目ラスタラインとして全て処理されたか否かを判断する。例えば、図４のヘッド位置Ｐ１にて行われる部分印刷ＳＰ１が、注目部分印刷である場合において、ヘッド位置Ｐ１に対応する複数本のラスタラインＲＬのうち、搬送方向ＡＲの最上流に位置するラスタラインＲＬ３が、注目ラスタラインである場合には、注目部分印刷分のラスタラインを全て処理したと判断される。
【００６６】
注目部分印刷分のラスタラインが全て処理された場合には（Ｓ２３０：ＹＥＳ）、この時点で、出力バッファに、注目部分印刷分のドットデータが格納されている。したがって、この場合には、Ｓ２３５にて、ＣＰＵ３１０は、注目部分印刷分のドットデータを、パスデータとして印刷機構１００に出力する。その際に、出力されるパスデータには、注目部分印刷の後に行うべきシート搬送Ｔの搬送量を示す制御データが付加される。例えば、注目部分印刷が最初の部分印刷ＳＰ１であるとする。この場合には、部分印刷ＳＰ１で印刷される部分領域ＲＡ１の上流側の２パス領域ＳＡ１の搬送方向ＡＲの長さはＨａである（図４）。したがって、注目部分印刷の後に行うべきシート搬送Ｔの搬送量は、ノズル長ＤからＨａを減じた値（Ｄ−Ｈａ）とされる。
【００６７】
Ｓ２４０では、ＣＰＵ３１０は、出力済みのパスデータを出力バッファから消去して、一次保存バッファに格納されたデータを、出力バッファにコピーする。例えば、図４のヘッド位置Ｐ１に対応する最後のラスタラインが処理された時点で、ヘッド位置Ｐ２に対応する複数本のラスタラインのうち、２パス部分画像ＳＡ１が印刷される重複領域内のラスタラインは、既に処理済みである。そして、これらの処理済みのラスタラインに対応するラスタデータのうち、ヘッド位置Ｐ２にて行われる部分印刷ＳＰ２にて用いられるデータは、一次保存バッファに格納済みである。本ステップでは、これらのデータが出力バッファにコピーされる。
【００６８】
注目部分印刷分の未処理のラスタラインがある場合には（Ｓ２３０：ＮＯ）、ＣＰＵ３１０は、Ｓ２３５とＳ２４０をスキップする。
【００６９】
Ｓ２４５では、ＣＰＵ３１０は、印刷画像ＰＩ内の全てのラスタラインを注目ラスタラインとして処理したか否かを判断する。未処理のラスタラインがある場合には（Ｓ２４５：ＮＯ）、ＣＰＵ３１０は、Ｓ２００に戻って、未処理のラスタラインを注目ラスタラインとして選択する。全てのラスタラインが処理された場合には（Ｓ２４５：ＹＥＳ）、ＣＰＵ３１０は、パスデータ出力処理を終了する。
【００７０】
以上説明した本実施例によれば、格納部としての不揮発性記憶装置３２０には、往路方向に対応する往路用プロファイルＦＰと、往路方向とは逆の復路方向に対応する復路用プロファイルＲＰと、が格納されている。画像取得部としてのＣＰＵ３１０は、ＲＧＢ値を含むＲＧＢ画像データを対象画像データとして取得する（図３のＳ１０、Ｓ２０）。印刷データ生成部としてのＣＰＵ３１０は、ＲＧＢ画像データを用いて、往路方向で行われるＮ回目（例えば、図４の例では１回目）の部分印刷ＳＰのためのパスデータ（部分印刷データとも呼ぶ）と、復路方向で行われる（Ｎ＋１）回目（例えば、図４の例では２回目）の部分印刷ＳＰのためのパスデータと、を含む複数個のパスデータを生成する（図３のＳ３０〜Ｓ５０）。印刷制御部としてのＣＰＵ３１０は、複数個のパスデータを用いて、Ｎ回目の部分印刷ＳＰと（Ｎ＋１）回目の部分印刷ＳＰとを含む複数回の部分印刷ＳＰを印刷実行部としてのプリンタ２００に実行させることによって、印刷画像ＰＩをプリンタ２００に印刷させる。Ｎ回目の部分印刷ＳＰで印刷される領域（例えば、図４の部分領域ＲＡ１）は、Ｎ回目の部分印刷ＳＰと（Ｎ＋１）回目の部分印刷ＳＰとの両方でドットが形成される第１の重複領域（例えば、図４の２パス領域ＳＡ１）と、第１の重複領域よりも下流側の第１の非重複領域（例えば、図４の１パス領域ＮＡ１）とを含む。第１の非重複領域は、Ｎ回目の部分印刷ＳＰにてドットが形成され、（Ｎ＋１）回目の部分印刷ＳＰにてドットが形成されない領域である。（Ｎ＋１）回目の部分印刷ＳＰで印刷される領域（例えば、図４の部分領域ＲＡ２）は、第１の重複領域（例えば、図４の２パス領域ＳＡ１）と、第１の重複領域よりも上流側の第２の非重複領域（例えば、図４の１パス領域ＮＡ２）と、を含む。第２の重複領域は、Ｎ回目の部分印刷ＳＰにてドットが形成されず、（Ｎ＋１）回目の部分印刷ＳＰにてドットが形成される領域である。図３のＳ３０の色変換処理は、ＲＧＢ画像データのうち、第１の非重複領域（例えば、図４の１パス領域ＮＡ１）に対応するデータに対して実行される第１の変換処理であって、往路用プロファイルＦＰを参照して実行される第１の変換処理を含む（図５のＳ１７５）。該色変換処理は、さらに、ＲＧＢ画像データのうち、第２の非重複領域（例えば、図４の１パス領域ＮＡ２）に対応するデータに対して実行される第２の変換処理であって、復路用プロファイルＲＰを参照して実行される前記第２の変換処理を含む（図５のＳ１８０）。該色変換処理は、さらに、ＲＧＢ画像データのうち、第１の重複領域（例えば、図４の２パス領域ＳＡ１）に対応するデータに対して実行される第３の変換処理であって、第１の変換処理および前記第２の変換処理とは異なる第３の変換処理（図５のＳ１１５）と、を含む。この結果、往路方向で行われるＮ回目の部分印刷と、復路方向で行われる（Ｎ＋１）回目の部分印刷と、を含む印刷（いわゆる双方向印刷）において、色変換処理は、第１の重複領域に対応するデータに対して実行される第３の変換処理を含むので、第１の重複領域内の画像が、適切な色で印刷され得る。従って、第１の重複領域（例えば、図４の２パス領域ＳＡ１）内の画像と、第１の重複領域に隣接する画像（例えば、図４の１パス領域ＮＡ１、ＮＡ２内の画像）と、の間の色ムラを抑制し得る。
【００７１】
さらに、本実施例によれば、格納部としての不揮発性記憶装置３２０には、第１の重複領域用プロファイルＯＰ１が格納されている。第３の変換処理（図５のＳ１１５）は、第１の重複領域用プロファイルＯＰ１を参照して実行される。この結果、第１の重複領域（例えば、図４の２パス領域ＳＡ１）に対応するデータを適切に色変換することができる。
【００７２】
さらに、本実施例によれば、格納部としての不揮発性記憶装置３２０には、第２の重複領域用プロファイルＯＰ２が格納されている。印刷データ生成部としてのＣＰＵ３１０は、往路方向で行われる（Ｎ＋２）回目（例えば、図４の例では３回目）の部分印刷ＳＰのための部分印刷データをさらに含む複数個の部分印刷データを生成する（図３のＳ３０〜Ｓ５０）。印刷制御部としてのＣＰＵ３１０は、（Ｎ＋２）回目の部分印刷ＳＰをさらに含む複数回の部分印刷ＳＰを印刷実行部に実行させる。（Ｎ＋２）回目の部分印刷ＳＰで印刷される領域（例えば、図４の部分領域ＲＡ３）は、（Ｎ＋１）回目の部分印刷ＳＰと（Ｎ＋２）回目の部分印刷ＳＰとの両方でドットが形成される第２の重複領域（例えば、図４の２パス領域ＳＡ３）と、第２の重複領域よりも上流側の第３の非重複領域（例えば、図４の１パス領域ＮＡ３）と、を含む。第３の非重複領域は、（Ｎ＋２）回目の部分印刷ＳＰにてドットが形成され、（Ｎ＋１）回目の部分印刷にてドットが形成されない領域である。図３のＳ３０の色変換処理において、ＲＧＢ画像データのうち、第３の非重複領域に対応するデータに対しては、上述した第１の変換処理（図５のＳ１７５）が実行される。該色変換処理は、さらに、ＲＧＢ画像データのうち、第２の重複領域に対応するデータに対して実行される第４の変換処理であって、第２の重複領域用プロファイルＯＰ２を参照して実行される第４の変換処理を含む。この結果、往路方向での部分印刷ＳＰが先に実行される第１の重複領域と、復路方向での部分印刷ＳＰが先に実行される第２の重複領域と、について、互いに異なるプロファイルを参照して色変換が行われる。この結果、第１の重複領域に対応するデータと、第２の重複領域に対応するデータとを、それぞれ、より適切に色変換することができる。
【００７３】
Ｂ．第２実施例
第２実施例では、色変換処理が第１実施例とは異なる。図８は、第２実施例の色変換処理のフローチャートである。図９は、第２実施例の色変換処理の説明図である。第２実施例では、第１の重複領域用プロファイルＯＰ１と、第２の重複領域用プロファイルＯＰ２（図１）と、は用いられないので、これらのプロファイルＯＰ１、ＯＰ２は、揮発性記憶装置２３０に格納されていなくても良い。図８の色変換処理では、図５の色変換処理のＳ１１０〜Ｓ１２０に代えて、Ｓ１１０Ｂ〜Ｓ１２０Ｂの処理が行われる。図８の色変換処理の他の処理は、図５の色変換処理の同符号の処理と同じである。
【００７４】
Ｓ１１０Ｂでは、ＣＰＵ３１０は、２パス領域内の注目ラスタラインは、復路印刷で印刷される１パス領域よりも往路印刷で印刷される１パス領域に近いか否かを判断する。例えば、図９の２パス領域ＳＡ３のうち、搬送方向ＡＲの中心よりも下流側（＋Ｙ側）の下流部分ＳＡ３ｂ内に、注目ラスタラインがある場合には、該注目ラスタラインは、復路方向で印刷される１パス領域ＮＡ４よりも往路方向で印刷される１パス領域ＮＡ３に近いと判断される。図９の２パス領域ＳＡ３のうち、搬送方向ＡＲの中心よりも上流側（−Ｙ側）の上流部分ＳＡ３ａ内に、注目ラスタラインがある場合には、該注目ラスタラインは、往路方向で印刷される１パス領域ＮＡ３よりも復路方向で印刷される１パス領域ＮＡ４に近いと判断される。同様に、図９の２パス領域ＳＡ４の下流部分ＳＡｂ内に注目ラスタラインがある場合には、該注目ラスタラインは、往路方向で印刷される１パス領域ＮＡ５よりも復路方向で印刷される１パス領域ＮＡ４に近いと判断される。図９の２パス領域ＳＡ４の上流部分ＳＡ４ａ内に注目ラスタラインがある場合には、該注目ラスタラインは、復路方向で印刷される１パス領域ＮＡ４よりも往路方向で印刷される１パス領域ＮＡ５に近いと判断される。
【００７５】
注目ラスタラインが復路印刷で印刷される１パス領域よりも往路印刷で印刷される１パス領域に近い場合には（Ｓ１１０Ｂ：ＹＥＳ）、Ｓ１１５Ｂにて、ＣＰＵ３１０は、往路用プロファイルＦＰを参照して、注目ラスタラインに対応するデータを色変換する。
【００７６】
注目ラスタラインが往路印刷で印刷される１パス領域よりも復路印刷で印刷される１パス領域に近い場合には（Ｓ１１０Ｂ：ＮＯ）、Ｓ１２０Ｂにて、ＣＰＵ３１０は、復路用プロファイルＲＰを参照して、注目ラスタラインに対応するデータを色変換する。
【００７７】
以上説明した第２実施例によれば、ＲＧＢ画像データのうち、２パス領域、例えば、図９の２パス領域ＳＡ３、ＳＡ４に対応するデータに対して実行される色変換処理は、２パス領域ＳＡ３、ＳＡ４のうち、搬送方向ＡＲ（副走査方向）の上流端を含む上流部分ＳＡ３ａ、ＳＡ４ａに対応するデータに対して実行される上流変換処理と、搬送方向ＡＲの下流端を含む下流部分ＳＡ３ｂ、ＳＡ４ｂに対応するデータに対して実行される下流変換処理と、を含む。上流部分ＳＡ３ａについての上流変換処理は、２パス領域ＳＡ３の上流側の１パス領域ＮＡ４（復路印刷で印刷される）に対応するデータの色変換に用いられる復路用プロファイルＲＰを参照して実行される。上流部分ＳＡ４ａについての上流変換処理は、２パス領域ＳＡ４の上流側の１パス領域ＮＡ５（往路印刷で印刷される）に対応するデータの色変換に用いられる往路用プロファイルＦＰを参照して実行される。下流部分ＳＡ３ｂについての下流変換処理は、２パス領域ＳＡ３の下流側の１パス領域ＮＡ３（往路印刷で印刷される）に対応するデータの色変換に用いられる往路用プロファイルＦＰを参照して実行される。下流部分ＳＡ４ｂについての下流変換処理は、２パス領域ＳＡ４の下流側の１パス領域ＮＡ４（復路印刷で印刷される）に対応するデータの色変換に用いられる復路用プロファイルＲＰを参照して実行される。この結果、２パス領域に対応するデータのうち、上流部分ＳＡ３ａ、ＳＡ４ａ、および、下流部分ＳＡ３ｂ、ＳＡ４ｂに対応するデータは、それぞれ、隣接する１パス領域に対応するデータについての色変換処理で用いられるプロファイルを参照して色変換される。この結果、２パス領域に対応するデータを適切に色変換することができる。従って、２パス領域（例えば、図９の２パス領域ＳＡ３、ＳＡ４）内の画像と、該２パス領域に隣接する画像（例えば、図９の１パス領域ＮＡ３、ＮＡ４、ＮＡ５）と、の間の色ムラを抑制し得る。
【００７８】
例えば、本実施例では、図７を参照して説明したように、２パス領域（例えば、ＳＡ３）内の複数本のラスタラインにおいて、先に行われる部分印刷ＳＰ（例えば、３回目の部分印刷ＳＰ３）に割り当てられる画素の割合は、搬送方向ＡＲの位置が下流端に近づくに連れて高くなり、後に行われる部分印刷ＳＰ（例えば、４回目の部分印刷ＳＰ４）に割り当てられる画素の割合は、搬送方向ＡＲの位置が上流端に近づくに連れて高くなる。そして、図７から解るように、２パス領域の下流部分（例えば、ＳＡ３ｂ）は、各ラスタラインにおいて、先に行われる部分印刷ＳＰに割り当てられる画素の割合（記録率）が（１／２）以上である部分である。また、２パス領域の上流部分（例えば、ＳＡ３ａ）は、各ラスタラインにおいて、後に行われる部分印刷ＳＰに割り当てられる画素の割合（記録率）が（１／２）以上である部分である。この結果、先に行われる部分印刷ＳＰに割り当てられる画素の割合（記録率）が（１／２）以上である下流部分（例えば、ＳＡ３ｂ）は、先に行われる部分印刷ＳＰの印刷方向（例えば、往路方向）に対応するプロファイル（例えば、往路用プロファイルＦＰ）を参照して実行される。また、後に行われる部分印刷ＳＰに割り当てられる画素の割合（記録率）が（１／２）以上である上流部分（例えば、ＳＡ３ａ）は、後に行われる部分印刷ＳＰの印刷方向（例えば、復路方向）に対応するプロファイル（例えば、復路用プロファイルＲＰ）を参照して実行される。この結果、上流部分および下流部分に対応するデータをそれぞれ適切に色変換することができる。
【００７９】
以上の説明から解るように、第２実施例において、図９の２パス領域ＳＡ３、ＳＡ４は、第１の重複領域の例である。そして、図９の２パス領域ＳＡ３が第１の重複領域に対応する場合には、往路用プロファイルＦＰが第１のプロファイルの例であり、復路用プロファイルＲＰが第２のプロファイルの例である。図９の２パス領域ＳＡ４が第１の重複領域に対応する場合には、往路用プロファイルＦＰが第２のプロファイルの例であり、復路用プロファイルＲＰが第１のプロファイルの例である。
【００８０】
Ｃ．第３実施例
第３実施例では、色変換処理が第１、第２実施例とは異なる。図１０は、第３実施例の色変換処理のフローチャートである。第３実施例では、第２実施例と同様に、第１の重複領域用プロファイルＯＰ１と、第２の重複領域用プロファイルＯＰ２（図１）と、は用いられないので、これらのプロファイルＯＰ１、ＯＰ２は、揮発性記憶装置２３０に格納されていなくても良い。図１０の色変換処理では、図５の色変換処理のＳ１１０〜Ｓ１２０に代えて、Ｓ１１０Ｃ、Ｓ１２０Ｃの処理が行われる。図１０の色変換処理の他の処理は、図５の色変換処理の同符号の処理と同じである。
【００８１】
Ｓ１１０Ｃでは、ＣＰＵ３１０は、注目ラスタラインが位置する注目２パス領域内の画像を印刷する２回の部分印刷ＳＰ（往路印刷と復路印刷）のそれぞれの記録率を取得する。図７に示すように、記録率は、注目ラスタラインの搬送方向ＡＲの位置に応じて決定される。例えば、Ｎ回目の部分印刷が注目部分印刷である場合には、Ｎ回目の部分印刷ＳＰｎの記録率と、（Ｎ＋１）回目の部分印刷ＳＰｎの記録率と、が取得される。Ｎ回目の部分印刷ＳＰｎと（Ｎ＋１）回目の部分印刷ＳＰｎの記録率とのうちの一方は、往路印刷であり、他方は復路印刷である。取得された記録率のうち、往路印刷の記録率をＲｆとし、復路印刷の記録率をＲｒとする。
【００８２】
Ｓ１１５Ｃでは、ＣＰＵ３１０は、注目ラスタラインに対応するデータを、往路用プロファイルＦＰからの変換値と、復路用プロファイルＲＰからの変換値と、を合成した値に変換する。具体的には、ＣＰＵ３１０は、注目ラスタラインの各画素のＲＧＢ値について、往路用プロファイルＦＰを参照して対応するＣＭＹＫ値（Ｃｆ、Ｍｆ、Ｙｆ、Ｋｆ）を取得する。ＣＰＵ３１０は、注目ラスタラインの各画素のＲＧＢ値について、復路用プロファイルＲＰを参照して対応するＣＭＹＫ値（Ｃｒ、Ｍｒ、Ｙｒ、Ｋｒ）を取得する。ＣＰＵ３１０は、これらの２つのＣＭＹＫ値と、記録率Ｒｆ、Ｒｒと、を用いて、注目ラスタラインの各画素のＲＧＢ値について、合成ＣＭＹＫ値（Ｃｍ、Ｍｍ、Ｙｍ、Ｋｒ）を算出し、注目ラスタラインの各画素のＲＧＢ値を合成ＣＭＹＫ値に変換する。合成ＣＭＹＫ値は、以下の式（１）を用いて算出される。
【００８３】
Ｃｍ＝（Ｒｆ×Ｃｒ）＋（Ｒｒ×Ｃｒ）
Ｍｍ＝（Ｒｆ×Ｍｒ）＋（Ｒｒ×Ｍｒ）
Ｙｍ＝（Ｒｆ×Ｙｒ）＋（Ｒｒ×Ｙｒ）
Ｋｍ＝（Ｒｆ×Ｋｒ）＋（Ｒｒ×Ｋｒ）          …（１）
【００８４】
以上説明した第３実施例によれば、ＲＧＢ画像データのうち、２パス領域に対応するデータに対して実行される色変換処理は、ＲＧＢ値を合成ＣＭＹＫ値に変換する処理を含む（図１０のＳ１２０Ｃ）。合成ＣＭＹＫ値は、Ｎ回目の部分印刷ＳＰに割り当てられる画素と（Ｎ＋１）回目の部分印刷に割り当てられる画素との比率（記録率Ｒｆ、Ｒｒ）に応じて、往路用プロファイルＦＰを参照して特定されるＣＭＹＫ値（Ｃｆ、Ｍｆ、Ｙｆ、Ｋｆ）と、復路用プロファイルＲＰを参照して特定されるＣＭＹＫ値（Ｃｒ、Ｍｒ、Ｙｒ、Ｋｒ）と、を合成して得られる色値である（上記式（１）、図１０のＳ１１０Ｃ、Ｓ１２０Ｃ）。この結果、２パス領域に対応するデータを適切に変換することができる。例えば、これらの２回の部分印刷ＳＰのうちの往路印刷の記録率Ｒｆが高いほど、印刷される画像の色は往路印刷で印刷される色に近くなり、復路印刷の記録率Ｒｒが高いほど、印刷される画像の色は復路印刷で印刷される色に近くなると考えられる。本実施例では、これに鑑み、式（１）に示すように、記録率Ｒｆが高いほど、往路用プロファイルＦＰの寄与が高くなり、記録率Ｒｒが高いほど、復路用プロファイルＲＰの寄与が高くなるように、合成ＣＭＹＫ値を決定している。この結果、２パス領域内の画像と、隣接する往路印刷で印刷される１パス領域内の画像、および、復路印刷で印刷される１パス領域ＮＡ内の画像と、の間の色ムラを抑制できる。
【００８５】
さらに、本実施例によれば、図７を参照して説明したように、２パス領域（例えば、ＳＡ３）内の複数本のラスタラインにおいて、往路印刷（例えば、３回目の部分印刷ＳＰ３）の記録率Ｒｆは、搬送方向ＡＲの位置が往路印刷で印刷される１パス領域（例えば、ＮＡ３）に近づくに連れて高くなり、復路印刷（例えば、４回目の部分印刷ＳＰ４）の記録率Ｒｒは、搬送方向ＡＲの位置が復路印刷で印刷される１パス領域（例えば、ＮＡ４）に近づくに連れて高くなる。本実施例では、このように搬送方向ＡＲの位置に応じて異なる合成比率（記録率Ｒｆ、Ｒｒ）に応じた合成ＣＭＹＫ値が算出される。この結果、２パス領域に対応するデータを、より適切に色変換できる。
【００８６】
さらに、本実施例によれば、搬送方向ＡＲの長さがＨａである２パス領域ＳＡ１〜ＳＡ３と、搬送方向ＡＲの長さがＨａより長いＨｂである２パス領域ＳＡ４と、の間では、互いに異なる色変換が行われる。この結果、２パス領域ＳＡ１〜ＳＡ３に対応するデータと、２パス領域ＳＡ４に対応するデータとを、それぞれ、適切に色変換することができる。
【００８７】
より詳しく説明すると、具体的には、搬送方向ＡＲの長さがＨａである２パス領域ＳＡ１〜ＳＡ３は、Ｋ本（Ｋは、１以上の整数）のラスタラインＲＬを含む領域であり、搬送方向ＡＲの長さがＨｂである２パス領域ＳＡ４は、Ｌ本（Ｌは、Ｋより大きな整数）のラスタラインＲＬを含む領域である、と言うことができる。このため、２パス領域ＳＡ１〜ＳＡ３に対応するデータに対する色変換処理は、Ｋ本のラスタラインのそれぞれについてＲＧＢ値を第１の合成ＣＭＹＫ値に変換する第１の合成変換処理であり、２パス領域ＳＡ４に対応するデータに対する色変換処理は、Ｌ本のラスタラインのそれぞれについてＲＧＢ値を第２の合成ＣＭＹＫ値に変換する第２の合成変換処理である、と言うことができる。第１の合成ＣＭＹＫ値は、Ｋ本のラスタラインＲＬのそれぞれについて搬送方向ＡＲの位置に応じて異なる第１の比率（記録率Ｒｆ、Ｒｒ）に応じて得られるＣＭＹＫ値であり、第２の合成ＣＭＹＫ値は、Ｌ本のラスタラインＲＬのそれぞれについて搬送方向ＡＲの位置に応じて異なる第２の比率（記録率Ｒｆ、Ｒｒ）に応じて得られるＣＭＹＫ値である。この結果、２パス領域ＳＡ１〜ＳＡ３に対応するデータと、２パス領域ＳＡ４に対応するデータとを、それぞれ、記録率に応じて適切に色変換することができる。
【００８８】
Ｄ．第４実施例
第４実施例では、色変換処理が第１〜第３実施例とは異なる。図１１は、第４実施例の色変換処理のフローチャートである。第４実施例では、第１の重複領域用プロファイルＯＰ１と第２の重複領域用プロファイルＯＰ２（図１）とに代えて、１個の重複領域用プロファイル（図示省略）が揮発性記憶装置２３０に格納されている。この１個の重複領域用プロファイルは、例えば、上述した第１の重複領域用プロファイルＯＰ１と第２の重複領域用プロファイルＯＰ２とのうちの一方であっても良いし、これらとは別のプロファイルであっても良い。図１１の色変換処理では、図５の色変換処理のＳ１１０〜Ｓ１２０に代えて、Ｓ１１０Ｄ〜Ｓ１３０Ｄの処理が行われる。図１１の色変換処理の他の処理は、図５の色変換処理の同符号の処理と同じである。なお、図１１では、図５のＳ１７０〜Ｓ１８０の部分はＳ１７０Ｄとして図示され、詳細は省略されている。
【００８９】
Ｓ１１０Ｄでは、ＣＰＵ３１０は、注目ラスタラインが位置する注目２パス領域の搬送方向ＡＲの長さは、基準以上であるか否かを判断する。例えば、注目２パス領域が図４の２パス領域ＳＡ１〜ＳＡ３である場合には、注目２パス領域の搬送方向ＡＲの長さは基準未満であると判断され、注目２パス領域が図４の２パス領域ＳＡ４である場合には、注目２パス領域の搬送方向ＡＲの長さは基準以上であると判断される。
【００９０】
注目２パス領域の搬送方向ＡＲの長さが基準以上である場合には（Ｓ１１０Ｄ：ＹＥＳ）、Ｓ１１５Ｄにて、ＣＰＵ３１０は、重複領域用プロファイルを参照して、注目ラスタラインに対応するデータを色変換する。注目２パス領域の搬送方向ＡＲの長さが、基準未満である場合には（Ｓ１１０Ｄ：ＮＯ）、Ｓ１２０Ｄにて、ＣＰＵ３１０は、図８のＳ１１０Ｂと同様に、２パス領域内の注目ラスタラインは、復路印刷で印刷される１パス領域よりも往路印刷で印刷される１パス領域に近いか否かを判断する。
【００９１】
注目ラスタラインが復路印刷で印刷される１パス領域よりも往路印刷で印刷される１パス領域に近い場合には（Ｓ１２０Ｄ：ＹＥＳ）、Ｓ１２５Ｄにて、ＣＰＵ３１０は、往路用プロファイルＦＰを参照して、注目ラスタラインに対応するデータを色変換する。
【００９２】
注目ラスタラインが往路印刷で印刷される１パス領域よりも復路印刷で印刷される１パス領域に近い場合には（Ｓ１２０Ｄ：ＮＯ）、Ｓ１３０Ｄにて、ＣＰＵ３１０は、復路用プロファイルＲＰを参照して、注目ラスタラインに対応するデータを色変換する。
【００９３】
以上説明した第４実施例によれば、第３実施例と同様に、搬送方向ＡＲの長さがＨａである２パス領域ＳＡ１〜ＳＡ３と、搬送方向ＡＲの長さがＨａより長いＨｂである２パス領域ＳＡ４と、の間では、互いに異なる色変換が行われる。この結果、２パス領域ＳＡ１〜ＳＡ３に対応するデータと、２パス領域ＳＡ４に対応するデータとを、それぞれ、適切に色変換することができる。
【００９４】
具体的には、本実施例は、第３実施例とは異なる。本実施例では、搬送方向ＡＲの長さがＨａである２パス領域ＳＡ１〜ＳＡ３に対応するデータに対しては、第２実施例（図８）と同様の色変換処理が行われる（図１１のＳ１２０Ｄ〜Ｓ１３０Ｄ）。例えば、２パス領域ＳＡ３の上流部分ＳＡ３ａ（図９）に対しては、第２実施例と同様に、上流側の１パス領域ＮＡ４（復路印刷で印刷される）に対応するデータの色変換に用いられる復路用プロファイルＲＰを参照して実行される。２パス領域ＳＡ３の下流部分ＳＡ３ｂ（図９）に対しては、第２実施例と同様に、下流側の１パス領域ＮＡ３（往路印刷で印刷される）に対応するデータの色変換に用いられる往路用プロファイルＦＰを参照して実行される。そして、搬送方向ＡＲの長さがＨｂである２パス領域ＳＡ４に対応するデータに対しては、復路用プロファイルＲＰとも往路用プロファイルＦＰとも異なる重複領域用プロファイルを参照して色変換処理が行われる（図１１のＳ１１５Ｄ）。この結果、２パス領域ＳＡ１〜ＳＡ３に対応するデータと、２パス領域ＳＡ４に対応するデータとを、それぞれ、適切に色変換することができる。例えば、２パス領域の搬送方向ＡＲの長さが比較的短い場合は、２パス領域用に作成された専用のプロファイルを用いなくても色ムラが目立ちにくいが、２パス領域の搬送方向ＡＲの長さが比較的長い場合は、２パス領域用に作成された専用のプロファイルを用いることが好ましい場合がある。本実施例ではこのような場合に色ムラを適切に低減できる。
【００９５】
Ｅ．第５実施例
第５実施例では、色変換処理が第１〜第４実施例とは異なる。図１２は、第５実施例の色変換処理のフローチャートである。図１３は、第５実施例の色変換処理の説明図である。第５実施例では、第４実施例と同様に、第１の重複領域用プロファイルＯＰ１と第２の重複領域用プロファイルＯＰ２（図１）とに代えて、１個の重複領域用プロファイル（図示省略）が揮発性記憶装置２３０に格納されている。図１２の色変換処理では、図５の色変換処理のＳ１１０〜Ｓ１２０に代えて、Ｓ１１０Ｅ〜Ｓ１３０Ｅの処理が行われる。図１２の色変換処理の他の処理は、図５の色変換処理の同符号の処理と同じである。なお、図１２では、図５のＳ１７０〜Ｓ１８０の部分はＳ１７０Ｅとして図示され、詳細は省略されている。
【００９６】
Ｓ１１０Ｅでは、ＣＰＵ３１０は、注目ラスタラインが、注目２パス領域の中央部分に位置するか否かを判断する。図１３の２パス領域ＳＡ３は、中央部分ＳＡ３ｄと、上流部分ＳＡ３ｃと、下流部分ＳＡ３ｅと、を含んでいる。中央部分ＳＡ３ｄは、２パス領域ＳＡ３の搬送方向ＡＲの所定範囲の部分であって、２パス領域ＳＡ３、ＳＡ４の搬送方向ＡＲの中心を含む部分である。上流部分ＳＡ３ｃは、中央部分ＳＡ３ｄの上流側に位置し、２パス領域ＳＡ３の上流端を含む部分である。下流部分ＳＡ３ｅは、中央部分ＳＡ３ｄの下流側に位置し、２パス領域ＳＡ３の下流端を含む部分である。本実施例では、中央部分ＳＡ３ｄ、上流部分ＳＡ３ｃ、下流部分ＳＡ３ｅの搬送方向ＡＲの長さは、それぞれ、２パス領域ＳＡ３の搬送方向ＡＲの長さの（１／３）である。２パス領域ＳＡ４も中央部分ＳＡ４ｄと上流部分ＳＡ４ｃと下流部分ＳＡ４ｅとを含み、２パス領域ＳＡ３と同様の構成を有している。
【００９７】
注目ラスタラインが注目２パス領域の中央部分に位置する場合には（Ｓ１１０Ｅ：ＹＥＳ）、Ｓ１１５Ｅにて、ＣＰＵ３１０は、重複領域用プロファイルを参照して、注目ラスタラインに対応するデータを色変換する。注目ラスタラインが注目２パス領域の中央部分に位置しない場合には（Ｓ１１０Ｅ：ＮＯ）、Ｓ１２０Ｅにて、ＣＰＵ３１０は、図８のＳ１１０Ｂと同様に、注目２パス領域内の注目ラスタラインは、復路印刷で印刷される１パス領域よりも往路印刷で印刷される１パス領域に近いか否かを判断する。
【００９８】
注目ラスタラインが復路印刷で印刷される１パス領域よりも往路印刷で印刷される１パス領域に近い場合には（Ｓ１２０Ｅ：ＹＥＳ）、Ｓ１２５Ｅにて、ＣＰＵ３１０は、往路用プロファイルＦＰを参照して、注目ラスタラインに対応するデータを色変換する。
【００９９】
注目ラスタラインが往路印刷で印刷される１パス領域よりも復路印刷で印刷される１パス領域に近い場合には（Ｓ１２０Ｅ：ＮＯ）、Ｓ１３０Ｅにて、ＣＰＵ３１０は、復路用プロファイルＲＰを参照して、注目ラスタラインに対応するデータを色変換する。
【０１００】
以上説明した第５実施例によれば、２パス領域、例えば、図１３の２パス領域ＳＡ３に対応するデータに対して実行される色変換処理は、上流部分ＳＡ３ｃと下流部分ＳＡ３ｅとの間に位置する中央部分ＳＡ３ｄに対応するデータに対して実行される中央変換処理であって、上流部分ＳＡ３ｃや下流部分ＳＡ３ｅに対応するデータに対して実行される処理（図１２のＳ１２０Ｅ〜Ｓ１３０Ｅ）とは異なる中央変換処理（図１２のＳ１１５Ｅ）を含む。この結果、２パス領域に対応するデータを適切に色変換することができる。具体的には、中央変換処理は、重複領域用プロファイルを参照して実行される色変換処理である（図１２のＳ１１５Ｅ）。例えば、上流部分ＳＡ３ｃは、図１３に示すように往路印刷で印刷される１パス領域ＮＡ３に比較的近いので、往路用プロファイルＦＰを参照した色変換処理が適用されることで、色ムラを低減できる。また、下流部分ＳＡ３ｅは、図１３に示すように復路印刷で印刷される１パス領域ＮＡ４に比較的近いので、復路用プロファイルＲＰを参照した色変換処理が適用されることで、色ムラを低減できる。そして、中央部分ＳＡ３ｄは、１パス領域ＮＡ３、ＮＡ４のいずれからも離れているので、往路用プロファイルＦＰと復路用プロファイルＲＰとのいずれを参照しても色ムラが目立ち得るが、本実施例では、専用の重複領域用プロファイルを参照することで、色ムラを低減できる。図１３の２パス領域ＳＡ４などの他の２パス領域についても同様である。
【０１０１】
また、本実施例では、図７を参照して説明したように、２パス領域ＳＡ３内の複数本のラスタラインにおいて、先に行われる部分印刷ＳＰ３に割り当てられる画素の割合は、搬送方向ＡＲの位置が下流端に近づくに連れて高くなり、後に行われる部分印刷ＳＰ４に割り当てられる画素の割合は、搬送方向ＡＲの位置が上流端に近づくに連れて高くなる。そして、図７から解るように、２パス領域の下流部分ＳＡ３ｅは、各ラスタラインにおいて、先に行われる部分印刷ＳＰ３の記録率が（２／３）以上である部分である。また、２パス領域の上流部分ＳＡ３ｃは、各ラスタラインにおいて、後に行われる部分印刷ＳＰの記録率が（２／３）以上である部分である。この結果、先に行われる部分印刷ＳＰの記録率が（２／３）以上である下流部分ＳＡ３ｅは、先に行われる部分印刷ＳＰの印刷方向（往路方向）に対応する往路用プロファイルＦＰを参照して実行される。また、後に行われる部分印刷ＳＰの記録率が（２／３）以上である上流部分ＳＡ３ｃは、後に行われる部分印刷ＳＰの印刷方向（復路方向）に対応する復路用プロファイルＲＰを参照して実行される。この結果、上流部分ＳＡ３ｃおよび下流部分ＳＡ３ｅに対応するデータをそれぞれ適切に色変換することができる。図１３の２パス領域ＳＡ４などの他の２パス領域についても同様である。
【０１０２】
Ｆ．変形例
（１）上記各実施例は一例であり、適宜に変更され得る。例えば、第５実施例の上流部分ＳＡ３ｃ、ＳＡ４ｃや下流部分ＳＡ３ｅ、ＳＡ４ｅに対応するデータに対する色変換処理は、復路用プロファイルＲＰと往路用プロファイルＦＰとのいずれか一方だけを参照する変換処理が採用されている（図１２のＳ１２０Ｅ〜Ｓ１３０）。これに代えて、第５実施例の上流部分ＳＡ３ｃ、ＳＡ４ｃや下流部分ＳＡ３ｅ、ＳＡ４ｅに対応するデータに対する色変換処理には、第３実施例の２パス領域に対応するデータに対する色変換処理が採用されても良い。すなわち、第５実施例の上流部分ＳＡ３ｃ、ＳＡ４ｃや下流部分ＳＡ３ｅ、ＳＡ４ｅに対応するデータに対して、２個のプロファイルＦＰ、ＲＰと記録率Ｒｆ、Ｒｒとを用いて得られる合成ＣＭＹＫ値に、ＲＧＢ値を変換する処理が実行されても良い。
【０１０３】
（２）第４実施例のＳ１１５Ｄ（図１１）や第５実施例のＳ１１５Ｅ（図１２）では、１個の重複領域用プロファイルのみが用いられている。これに代えて、第４実施例のＳ１１５Ｄ（図１１）や第５実施例のＳ１１５Ｅ（図１２）にて、第１実施例と同様に、注目２パス領域が、往路印刷が先に行われる領域であるか復路印刷が先に行われる領域であるかに応じて、２種類の重複領域用プロファイルＯＰ１、ＯＰ２を使い分けても良い。また、第１実施例では、２種類の重複領域用プロファイルＯＰ１、ＯＰ２が使い分けられている（図１のＳ１１０〜Ｓ１２０）が、これに代えて、第４実施例や第５実施例のように、１個の重複領域用プロファイルのみが用いられても良い。
【０１０４】
（３）上記各実施例では、搬送方向ＡＲの長さがＨａである２パス領域ＳＡ１〜ＳＡ３と、搬送方向ＡＲの長さがＨｂである２パス領域ＳＡ４と、が設定されるが、２パス領域ＳＡ１〜ＳＡ４の搬送方向ＡＲの長さは、全て同じでも良い。
【０１０５】
（４）２パス領域の各搬送方向における記録率は、上流側から下流側に向かって、それぞれ直線的に変化する。これに限らず、例えば、２パス領域の範囲では、搬送方向に関わらずに、一律に、往路方向の記録率Ｒｆが１／２、復路方向の記録率Ｒｒが１／２に、それぞれ設定されても良い。
【０１０６】
（５）また、印刷ヘッド１１０の各ノズル列の配置位置は、図２（Ｂ）に示すようなＸ方向の上流側から、ノズル列ＮＣ、ＮＭ、ＮＹ、ＮＫの順番でなくてもよく、他の任意の順番が採用され得る。
【０１０７】
（６）印刷媒体として、用紙Ｍに代えて、他の媒体、例えば、ＯＨＰ用のフィルム、ＣＤ−ＲＯＭ、ＤＶＤ−ＲＯＭが採用されても良い。
【０１０８】
（７）上記実施例の印刷機構１００では、搬送部１４０が用紙Ｍを搬送することによって、印刷ヘッド１１０に対して用紙Ｍを搬送方向に相対的に移動させている。これに代えて、固定された用紙Ｍに対して、印刷ヘッド１１０を搬送方向ＡＲと反対方向に移動させることによって、印刷ヘッド１１０に対して用紙Ｍを搬送方向ＡＲに相対的に移動させても良い。
【０１０９】
（８）上記各実施例では、図３の画像処理を実行する装置は、端末装置３００である。これに代えて、プリンタ２００のＣＰＵ２１０が画像処理装置として、図３の画像処理を実行しても良い。この場合には、画像処理装置として機能するＣＰＵ２１０は、図３のＳ５０において、パスデータを、例えば、不揮発性記憶装置２２０や揮発性記憶装置２３０の所定のメモリ領域に出力する。プリンタ２００の印刷機構１００は、該メモリ領域に出力された印刷データに従って部分印刷を実行する。
【０１１０】
以上の説明から解るように、上記各実施例では、端末装置３００が画像処理装置の例であり、プリンタ２００が印刷実行部の例である。本変形例では、プリンタ２００のＣＰＵ２１０が画像処理装置の例であり、プリンタ２００の印刷機構１００が印刷実行部の例である。
【０１１１】
（９）図３の画像処理を実行する装置は、例えば、プリンタや端末装置から画像データを取得して該画像データを用いて印刷ジョブを生成するサーバであっても良い。このようなサーバは、ネットワークを介して互いに通信可能な複数個の計算機であっても良い。この場合には、ネットワークを介して互いに通信可能な複数個の計算機の全体が、画像処理装置の例である。
【０１１２】
（１０）上記各実施例において、ハードウェアによって実現されていた構成の一部をソフトウェアに置き換えるようにしてもよく、逆に、ソフトウェアによって実現されていた構成の一部あるいは全部をハードウェアに置き換えるようにしてもよい。例えば、図３の画像処理がプリンタ２００において実行される場合に、Ｓ４０のハーフトーン処理やＳ５０のパスデータ出力処理は、例えば、プリンタ２００のＣＰＵ２１０の指示に従って動作する専用のハードウェア回路（例えば、ＡＳＩＣ）によって実現されてもよい。
【０１１３】
以上、実施例、変形例に基づき本発明について説明してきたが、上記した発明の実施の形態は、本発明の理解を容易にするためのものであり、本発明を限定するものではない。本発明は、その趣旨並びに特許請求の範囲を逸脱することなく、変更、改良され得ると共に、本発明にはその等価物が含まれる。
【符号の説明】
【０１１４】
１００…印刷機構、１１０…印刷ヘッド、１１１…ノズル形成面、１２０…ヘッド駆動部、１３０…主走査部、１３３…キャリッジ、１３４…摺動軸、１４０…搬送部、１４１…下流ローラ対、１４２…上流ローラ対、１４５…用紙台、２００…プリンタ、２１０…ＣＰＵ、２２０…不揮発性記憶装置、２３０…揮発性記憶装置、２３１…バッファ領域、２６０…操作部、２７０…表示部、２８０…通信部、３００…端末装置、３１０…ＣＰＵ、３２０…不揮発性記憶装置、３３０…揮発性記憶装置、３３１…バッファ領域、３６０…操作部、３７０…表示部、３８０…通信部、１０００…印刷システム、Ｍ…用紙、ＰＤ…分配パターンデータ、ＦＰ…往路用プロファイル、ＲＰ…復路用プロファイル、ＮＷ…ネットワーク、ＮＺ…ノズル、ＰＧ１、ＰＧ２…コンピュータプログラム、ＯＰ１…第１の重複領域用プロファイル、ＯＰ２…第２の重複領域用プロファイル
【図１】
2020082424.tif 000003
【図２】
2020082424.tif 000004
【図３】
2020082424.tif 000005
【図４】
2020082424.tif 000006
【図５】
2020082424.tif 000007
【図６】
2020082424.tif 000008
【図７】
2020082424.tif 000009
【図８】
2020082424.tif 000010
【図９】
2020082424.tif 000011
【図１０】
2020082424.tif 000012
【図１１】
2020082424.tif 000013
【図１２】
2020082424.tif 000014
【図１３】
2020082424.tif 000015